(57)【要約】【課題】オートフォーカス（ＡＦ）によりピントを合わせる対象の被写体の範囲を示すＡＦ枠の位置をレンズコントローラに設けられたタッチパッドの操作で行えるようにすることで、ＡＦ枠を所望の位置に容易かつ迅速に設定することができるオートフォーカスシステムを提供する。【解決手段】レンズ装置の主にフォーカス操作を行うフォーカスデマンド２６には、フォーカスノブ３０を把持した状態で、親指で操作できる本体部７０の位置にタッチパッド８０が設けられる。このタッチパッド８０の所望の位置をタップ操作すると、撮影画面上において、その位置に対応する位置にＡＦ枠が設定される。また、タッチパッド８０の検出面８０ａの形状は、ビューファインダ３６の画面の形状と相似形とする。【選択図】図４
2010266835.tif 000002
【特許請求の範囲】
【請求項１】
光学系により結像された被写体像を撮像する撮像手段と、前記撮像手段により被写体像を撮像する撮像範囲のうち所定のＡＦ枠内の被写体にピントが合うように前記光学系のフォーカス調整を行うオートフォーカス手段と、前記撮像範囲内における前記ＡＦ枠の位置を操作者が指示するためのＡＦ枠位置操作手段と、前記ＡＦ枠位置操作手段により指示された位置に前記ＡＦ枠を設定するＡＦ枠制御手段とを備えたオートフォーカスシステムにおいて、
前記ＡＦ枠位置操作手段はタッチパッドであり、
前記ＡＦ枠制御手段は、前記タッチパッドの検出面と前記撮像範囲とを対応付け、前記タッチパッドの検出面においてタッチされた位置に対応する前記撮像範囲の位置に前記ＡＦ枠を設定し、
前記タッチパッドの検出面の形状は、前記撮像手段で撮像されている画像に前記ＡＦ枠が重畳されて表示される表示装置の画面の形状と相似形であること、
を特徴とするオートフォーカスシステム。
【請求項２】
前記ＡＦ枠制御手段は、前記タッチパッドの検出面と前記撮像範囲とを対応付け、前記タッチパッドの検出面においてタッチされた位置に対応する前記撮像範囲の位置に前記ＡＦ枠を設定する第１の操作モードと、
前記タッチパッドの検出面におけるドラッグ操作の操作方向及び操作量に対応した方向及び変位量で前記ＡＦ枠を現在位置から変位させる第２の操作モードと、
を切替可能にしたこと、
を特徴とする請求項１のオートフォーカスシステム。
【請求項３】
前記タッチパッドの検出面内または周辺に突起物が設けられていること、
を特徴とする請求項１または２のオートフォーカスシステム。
【請求項４】
前記タッチパッドは、前記光学系のフォーカス又はズームに関する操作を行うためのレンズコントローラに設けられていること、
を特徴とする請求項１乃至３のいずれか１つのオートフォーカスシステム。
【発明の詳細な説明】
【技術分野】
【０００１】
本発明はオートフォーカスシステムに係り、特にオートフォーカス（ＡＦ）によりピントを合わせる範囲であるＡＦ枠（ＡＦエリア）の位置を変更することができるオートフォーカスシステムに関する。
【背景技術】
【０００２】
テレビカメラのように撮像素子（ＣＣＤ等）により被写体の画像を電気信号（画像信号）に変換する撮像システムでは、オートフォーカス（以下、ＡＦという）の方式として一般的にコントラスト方式が採用されている。コントラスト方式は、撮像素子により取り込まれた画像信号から被写体画像のコントラストを検出し、そのコントラストが最も高くなるように撮影レンズのフォーカスを制御することによって最良ピント状態に自動でピント合わせを行う方式である。
【０００３】
コントラスト方式のようなＡＦでは、カメラの撮影画角範囲内にある被写体の全体をＡＦによりピントを合わせる対象とするのではなく、撮影画角範囲のうちの一部の範囲にある被写体のみを対象とすることが多い。コントラスト方式のＡＦでは、撮像素子の撮像エリア全体により取り込まれた画像信号のうち、ＡＦによりピントを合わせる範囲の画像信号を抽出し、その抽出した範囲の画像信号のコントラストが最も高くなるようにフォーカスを制御することによってＡＦによりピントを合わせる対象を一部の範囲の被写体のみに限定している。尚、本明細書ではカメラの撮影画角範囲のうちＡＦによりピントを合わせる対象の被写体範囲、又はカメラの撮影画像の画面範囲のうちＡＦによりピントを合わせる対象とする画面上での被写体範囲をＡＦエリアといい、そのＡＦエリアの輪郭を示す枠をＡＦ枠というものとする。
【０００４】
また、従来、操作者の操作によってＡＦ枠の位置、大きさ、形状（縦横比）を変更可能にしたものが知られている。ＡＦ枠の位置の変更は、トラックボールやジョイスティック等の操作装置が用いられている（ 例えば、特許文献１参照）。
【０００５】
また、オートフォーカス装置において、鏡胴側面に設けられたタッチパッドによりＡＦ枠の操作を行う技術が開示されている（例えば、特許文献２参照）。
【先行技術文献】
【特許文献】
【０００６】
【特許文献１】特開２００２−３６５５１９号公報
【特許文献２】特開平１０−１７３９８０号公報
【発明の概要】
【発明が解決しようとする課題】
【０００７】
ところで、ＡＦ枠の位置の変更をトラックボールやジョイスティックで行う場合、現在位置からの移動方向と移動速度又は変位量を指示する操作しか行うことができないため、所望の位置にＡＦ枠を設定することが難しく、また時間を要するという問題があった。
【０００８】
また、タッチパッドでＡＦ枠の操作を行う場合、タッチパッドをタッチする位置と撮影映像が表示されるビューファインダにおけるＡＦ枠における位置との対応が分かり難く、所望の位置にＡＦ枠を設定することが難しく、また時間を要するという問題もあった。
【０００９】
本発明は、このような事情に鑑みてなされたもので、ＡＦ枠を所望の位置に容易かつ迅速に設定することができるオートフォーカスシステムを提供することを目的とする。
【課題を解決するための手段】
【００１０】
前記目的を達成するために、請求項１に係るオートフォーカスシステムは、光学系により結像された被写体像を撮像する撮像手段と、前記撮像手段により被写体像を撮像する撮像範囲のうち所定のＡＦ枠内の被写体にピントが合うように前記光学系のフォーカス調整を行うオートフォーカス手段と、前記撮像範囲内における前記ＡＦ枠の位置を操作者が指示するためのＡＦ枠位置操作手段と、前記ＡＦ枠位置操作手段により指示された位置に前記ＡＦ枠を設定するＡＦ枠制御手段とを備えたオートフォーカスシステムにおいて、前記ＡＦ枠位置操作手段はタッチパッドであり、前記ＡＦ枠制御手段は、前記タッチパッドの検出面と前記撮像範囲とを対応付け、前記タッチパッドの検出面においてタッチされた位置に対応する前記撮像範囲の位置に前記ＡＦ枠を設定し、前記タッチパッドの検出面の形状は、前記撮像手段で撮像されている画像に前記ＡＦ枠が重畳されて表示される表示装置の画面の形状と相似形であること、を特徴としている。
【００１１】
請求項２に係るオートフォーカスシステムは、ＡＦ枠制御手段は、前記タッチパッドの検出面と前記撮像範囲とを対応付け、前記タッチパッドの検出面においてタッチされた位置に対応する前記撮像範囲の位置に前記ＡＦ枠を設定する第１の操作モードと、前記タッチパッドの検出面におけるドラッグ操作の操作方向及び操作量に対応した方向及び変位量で前記ＡＦ枠を現在位置から変位させる第２の操作モードと、を切替可能にしたこと、を特徴としている。
【００１２】
請求項３に係るオートフォーカスシステムは、前記タッチパッドの検出面内または周辺に突起物が設けられていること、を特徴としている。
【００１３】
請求項４に係るオートフォーカスシステムは、前記タッチパッドは、前記レンズコントローラに設けられていること、を特徴としている。
【発明の効果】
【００１４】
本発明によれば、ＡＦ枠を所望の位置に容易かつ迅速に設定することができる。
【図面の簡単な説明】
【００１５】
【図１】図１は、本発明が適用されるテレビカメラシステムの一実施の形態を示した外観図である。
【図２】図２は、本発明に係るオートフォーカスシステムの構成を示したブロック図である。
【図３】図３は、撮像素子の撮像範囲及びＡＦ枠の関係を示した図である。
【図４】図４は、フォーカスデマンドの外観図である。
【図５】図５は、タッチパッドの操作方法の説明に使用した説明図である。
【図６】図６は、タッチパッドの検出面内または周辺に突起物が設けられた例を示す図である。
【図７】図７は、ＡＦ枠操作ユニットにタッチパッドを設ける場合のタッチパッドの位置を例示した斜視図である。
【図８】図８は、ズームデマンドにタッチパッドを設ける場合のタッチパッドの位置を例示した斜視図である。
【図９】図９は、ＥＮＧカメラシステムにタッチパッドを設ける場合のタッチパッドの位置を例示した斜視図である。
【発明を実施するための形態】
【００１６】
以下、添付図面を参照して、本発明に係るオートフォーカスシステムを実施するための形態について詳細に説明する。
【００１７】
図１は、本発明が適用されるテレビカメラシステムの一実施の形態を示した外観図である。同図に示すようにテレビカメラ１０は、主に放送用又は業務用に使用されるテレビカメラであり、レンズ装置１２とカメラ本体１４とで構成され、ペデスタルドリー１６上に設置された雲台１８に支持されている。
【００１８】
雲台１８には、左右２本のパン棒２２、２４が延設されており、右側のパン棒２２のグリップ部２２Ａには、フォーカスデマンド（フォーカスコントローラ）２６がマウンティ
ングクランプ３８によって設置され、左側のパン棒２４のグリップ部にはズームデマンド（ズームコントローラ）２８が設置されている。
【００１９】
フォーカスデマンド２６には、回動可能なフォーカスノブ３０が設けられており、マニュアルフォーカス（ＭＦ）によりフォーカス制御を行う際に、このフォーカスノブ３０を回動操作すると、その回動位置に応じたフォーカス位置を目標位置としてフォーカス（フォーカスレンズ群）の移動を指令するフォーカス制御信号がフォーカスデマンド２６からレンズ装置１２に与えられる。これにより、レンズ装置１２のフォーカスレンズ群がフォーカス制御信号によって指令された目標位置に移動するようになっている。
【００２０】
ズームデマンド２８には、回動可能なサムリング３４が設けられており、そのサムリング３４を左右方向に回動操作すると、回動位置に応じたズーム速度を目標速度としてズーム（ズームレンズ群）の移動を指令するズーム制御信号がズームデマンド２８からレンズ装置１２に与えられる。これにより、レンズ装置１２のズームレンズ群がズーム制御信号によって指令された目標速度で移動するようになっている。
【００２１】
また、図では省略するが、フォーカスデマンド２６には、オートフォーカス（ＡＦ）に関する各種操作手段が設けられると共に、ＡＦによりピントを合わせる対象となる被写体範囲（ＡＦの対象範囲）を示すＡＦ枠の制御（位置等の変更）を行うためのＡＦ枠制御装置が組み込まれ、そのＡＦ枠制御装置の各種操作部材もフォーカスデマンド２６に設けられている。
【００２２】
カメラ本体１４の上には、表示装置であるビューファインダ３６が設置されている。このビューファインダ３６には、本テレビカメラ１０で撮影されている被写体の映像が表示されるため、カメラマンはその映像を見ながらフォーカスデマンド２６やズームデマンド２８を操作することによって所望の構図で被写体を撮影することができるようになっている。
【００２３】
また、ビューファインダ３６に表示される撮影映像には、現在設定されているＡＦ枠の範囲（位置、大きさ、形状（縦横比））を示すＡＦ枠の画像（枠画像）が重畳されて表示されるようになっており、ＡＦによりフォーカス制御を行う場合には撮影映像内のどの範囲の被写体にピントが合わせられるかを知ることができるようになっている。尚、ＭＦとＡＦのフォーカス制御は、フォーカスデマンド２６に設けられたモードスイッチ等で切り替えられるようになっている。
【００２４】
図２は、上記テレビカメラシステムに適用されたオートフォーカスシステムの構成を示したブロック図である。同図には、図１に示したレンズ装置１２、カメラ本体１４、フォーカスデマンド２６、ビューファインダ３６が示されている。カメラ本体１４には、撮像素子（例えばＣＣＤ）や所要の信号処理回路等が搭載されており、レンズ装置１２の撮影レンズ（光学系）により結像された像は、撮像素子により光電変換された後、信号処理回路によって所要の信号処理が施される。信号処理回路によって生成された所定形式の映像信号は、カメラ本体１４の映像信号出力端子等から外部機器に出力される。
【００２５】
また、ビューファインダ３６には、カメラ本体１４からの映像信号が与えられ、カメラ本体１４で撮影されているリアルタイムの画像（映像）がビューファインダ３６の画面上に表示されるようになっている。また、ビューファインダ３６の画面上にはオートフォーカス（ＡＦ）によりピントを合わせる対象範囲を示すＡＦ枠等の情報も表示されるようになっている。
【００２６】
レンズ装置１２は、カメラ本体１４のレンズマウントに装着される図示しない撮影レン
ズ（光学系）を備えており、その撮影レンズにより被写体の像がカメラ本体１４の撮像素子の撮像面に結像される。撮影レンズには、その構成部としてフォーカスレンズ群、ズームレンズ群、絞りなどの撮影条件を調整するための可動部が設けられており、それらの可動部は、図示しないモータ（サーボ機構）によって電動駆動されるようになっている。例えば、フォーカスレンズ群やズームレンズ群は光軸方向に移動し、フォーカスレンズ群が移動することによってフォーカス（被写体距離）調整が行われ、ズームレンズ群が移動することによって焦点距離（ズーム倍率）調整が行われる。尚、本実施の形態のようにオートフォーカスに関するシステムにおいては、少なくともフォーカスレンズ群が電動で駆動できればよく、その他の可動部は手動でのみ駆動可能であってもよい。
【００２７】
また、同図に示すように、レンズ装置１２には、レンズ装置１２全体を統括制御するレンズＣＰＵ５０、ＡＦの処理を実行するＡＦ処理部５２、ＡＦ用撮像回路５４等が搭載されている。
【００２８】
ＡＦ用撮像回路５４は、ＡＦ処理用の映像信号を取得するためにレンズ装置１２に配置されており、撮像素子（ＣＣＤ等）や撮像素子の出力信号を所定形式の映像信号として出力する処理回路等を備えている。尚、ＡＦ用撮像回路５４の撮像素子をＡＦ用撮像素子という。また、ＡＦ用撮像回路５４から出力される映像信号は輝度信号とする。
【００２９】
ＡＦ用撮像素子の撮像面には、撮影レンズの光路上に配置されたハーフミラー等によってカメラ本体１４の撮像素子に入射する被写体光から分岐された被写体光が結像するようになっている。ＡＦ用撮像素子の撮像面に対する撮影画角範囲及び被写体距離（ピントが合う被写体の距離）は、カメラ本体１４の撮像素子の撮像面に対する撮影画角範囲及び被写体距離に一致するように構成されており、ＡＦ用撮像素子により取り込まれる被写体画像は、カメラ本体１４の撮像素子により取り込まれる被写体画像と一致している。尚、両者の撮影画角範囲に関しては完全に一致している必要はなく、例えば、ＡＦ用撮像素子の撮影画角範囲の方がカメラ本体１４の撮像素子の撮影画角範囲を包含する大きな範囲であってもよい。また、ＡＦ用撮像素子を設けることなくカメラ本体１４の撮像素子により取得された映像信号をＡＦ処理部５２に与えるようにしてもよい。
【００３０】
ＡＦ処理部５２は、ＡＦ用撮像回路５４から映像信号を取得し、その映像信号に基づいて被写体画像のコントラストの高低を示す焦点評価値を算出する。例えば、ＡＦ用撮像素子から得られた映像信号の高域周波数成分の信号をハイパスフィルタによって抽出した後、その高域周波数成分の信号のうちＡＦによりピントを合わせる対象とする被写体範囲を示すＡＦエリア（ＡＦ枠の範囲）に対応する範囲の信号を１画面分ずつ積算（加算）する。このようにして１画面分ごとに得られる積算値は被写体画像のコントラストの高低を示し、焦点評価値としてレンズＣＰＵ５０に与えられる。
【００３１】
ここで、図３に示すようにＡＦ枠は、カメラ本体１４の撮像素子（又は、ＡＦ用撮像素子）により被写体像を撮像する撮像範囲１００内において四角形状の範囲を示す枠１０２として設定される。
【００３２】
レンズＣＰＵ５０は、詳細を後述するようにＡＦ枠の範囲を示す情報（ＡＦ枠情報）をフォーカスデマンド２６から取得してそのＡＦ枠情報により指定されたＡＦ枠の範囲をＡＦ処理部５２に指定する。そして、そのＡＦ枠の範囲内の画像（映像信号）により求められる焦点評価値をＡＦ処理部５２から取得すると共に、取得した焦点評価値が最大（極大）、即ち、ＡＦ枠の範囲内の被写体画像のコントラストが最大となるようにフォーカスレンズ群を制御する。例えば、焦点評価値に基づくフォーカスレンズ群の制御方式として山登り方式が一般的に知られており、フォーカスレンズ群を焦点評価値が増加する方向に移動させていき、焦点評価値が減少し始める点を検出すると、その位置にフォーカスレンズ
群を設定する。これにより、ＡＦ枠の範囲内の被写体に自動でピントが合わせられる。
【００３３】
フォーカスデマンド２６にはＡＦ枠の制御を行うためのＡＦ枠制御装置が組み込まれており、各種演算処理を行うＣＰＵ６０が内蔵されている。そして、ＣＰＵ６０は、レンズ装置１２のレンズＣＰＵ５０と各種情報のやり取りをシリアル通信等で行うことができるようになっている。
【００３４】
また、フォーカスデマンド２６には、位置、大きさ、形状（縦横比）を要素とするＡＦ枠の範囲を操作者がマニュアル操作によって指定するためのＡＦ枠操作手段を備えており、ＡＦ枠操作手段の操作が行われた場合にＣＰＵ６０は、その操作に従ってＡＦ枠の範囲を設定し、そのＡＦ枠の範囲を示すＡＦ枠情報をレンズ装置１２のレンズＣＰＵ５０に送信する。尚、ＡＦ枠操作手段については後述する。
【００３５】
一方、フォーカスデマンド２６には、操作者が指定した追尾対象の被写体を画面上で追尾しながらその追尾対象の被写体の移動に追従させてＡＦ枠の範囲を自動で変更するＡＦ枠自動追尾機能が搭載されている。そのＡＦ枠自動追尾機能が有効に作動している状態では、ＣＰＵ６０は、そのＡＦ枠自動追尾機能によりＡＦ枠の範囲を自動で設定し、そのＡＦ枠の範囲を示すＡＦ枠情報をレンズ装置１２のレンズＣＰＵ５０に送信する。
【００３６】
尚、例えば、フォーカスデマンド２６には、ＡＦ枠自動追尾機能によるＡＦ枠自動追尾をオン／オフする図示しないスイッチが設けられており、そのスイッチによってＡＦ枠自動追尾がオフされている場合には、操作者によるＡＦ枠操作手段の操作のみによってＡＦ枠の範囲が変更される。また、ＡＦ枠自動追尾がオンの場合であっても操作者によりＡＦ枠操作手段の操作が行われた場合には、その操作がＡＦ枠自動追尾機能よりも優先されて操作者の操作に従ってＡＦ枠の範囲が変更されるようになっている。
【００３７】
また、ＣＰＵ６０は、上記のようにレンズＣＰＵ５０に送信するＡＦ枠情報をカメラ本体１４に送信し、カメラ本体１４内の処理によりそのＡＦ枠の画像（枠画像）を撮影映像に重畳させてビューファインダ３６の画面上の対応する位置に表示させる。これよって操作者がビューファインダ３６を見ながら現在設定されているＡＦ枠の範囲を認識することができるようになっている。尚、カメラ本体１４へのＡＦ枠情報はレンズＣＰＵ５０からカメラ本体１４に送るようにしてもよいし、ビューファインダ３６に表示する撮影映像の映像信号をフォーカスデマンド２６に取り込み、フォーカスデマンド２６内でＡＦ枠の画像をその撮影映像に重畳した映像信号を生成してフォーカスデマンド２６からビューファインダ３６にその映像信号を出力するようにしてもよい。
【００３８】
フォーカスデマンド２６に組み込まれたＡＦ枠制御装置によるＡＦ枠自動追尾機能は、図２に示したＣＰＵ６０、画像処理部６２、画像入力部６４により行われるようになっている。画像入力部６４は、上記ＡＦ用撮像回路５４により得られた映像信号（輝度信号）をＡＦ処理部５２を介して取得し、画像処理部６２２からの要求に応じてその映像信号から得られる撮影画像の画像データを画像処理部６２に与える。
【００３９】
画像処理部６２は、画像入力部６４から取得した画像データに基づいて、撮影画像の中から操作者によって指定された追尾対象の被写体の画像範囲を検出する。
【００４０】
ＣＰＵ６０は、画像処理部６２を検出された追尾対象の被写体の画像範囲をＡＦ枠の範囲（位置、大きさ、形状）として設定する。これによって、追尾対象の被写体が撮影画面上で追尾され、その被写体に追従してＡＦ枠の範囲が変更される。ここで、追尾対象の被写体は、例えば、操作者がビューファインダ３６の画面に表示された撮影映像及びＡＦ枠を見ながら後述のＡＦ枠操作手段を操作して追尾対象とする被写体（ＡＦによりピントを合わせたい被写体）の全体又は一部がＡＦ枠の範囲内となるようにし、その状態でＡＦ枠操作手段の操作を停止することによって指定することができる。即ち、ＡＦ枠操作手段の操作後、ＡＦ枠自動追尾を開始する際のＡＦ枠の範囲内の画像が追尾対象の被写体画像として認識される。
【００４１】
画像処理部６２において追尾対象の被写体を検出する処理は、例えば周知のパターンマッチング処理方式によって行われる。この場合、上記のようにＡＦ枠操作手段の操作が停止したときのＡＦ枠の範囲内の画像が追尾対象の被写体画像を示す基準パターンとして記憶される。そして、それ以後、画像入力部６４を介して取り込まれる撮影画像の中から基準パターンの画像に合致する画像範囲がパターンマッチング処理により検出される。
【００４２】
尚、ＡＦ枠自動追尾の方法はどのような方式のものでもよく、追尾対象とする被写体を指定する方法や、その被写体を追尾する方法は上記の場合に限定されない。
【００４３】
続いて、フォーカスデマンド２６におけるＡＦ枠操作手段について説明する。図４のフォーカスデマンド２６の外観図に示すようにフォーカスデマンド２６の本体部７０には、ＡＦ枠操作手段としてタッチパッド８０、大きさつまみ８２、形状つまみ８４が設けられている。そして、これらのタッチパッド８０、大きさつまみ８２、形状つまみ８４の状態を示す状態信号が、図２に示されているようにＣＰＵ６０により読み取られるようになっている。ＣＰＵ６０は、大きさつまみ８２の状態信号に基づいてＡＦ枠の大きさを設定し、形状つまみ８４の状態信号に基づいてＡＦ枠の形状（縦横比）を設定する。即ち、操作者は、大きさつまみ８２を操作することによってＡＦ枠を所望の大きさに設定することがで、形状つまみ８４を操作することによってＡＦ枠を所望の縦横比に設定することができる。
【００４４】
一方、タッチパッド８０は、平板状のセンサー（検出面）を指等で触れることでポインタの操作を行うものである。タッチパッド８０の状態信号は、コントローラ９０を介してＣＰＵ６０に与えられるようなっており、その状態信号としてタッチパッド８０の検出面（タッチ操作が検出される面）に指等でタッチされた位置（タッチ位置）を示す座標値がＣＰＵ６０に与えられるようになっている。尚、タッチパッドの種類として電磁式や静電容量式など各種存在するが、本タッチパッド８０は特定の種類に限定されない。
【００４５】
図５に示すようにタッチパッド８０の検出面８０Ａ内の各点の座標をＸ−Ｙ座標で表すと共に、カメラ本体１４の撮像素子の撮像範囲における各点の座標をＸ−Ｙ座標で表すものとすると、撮像範囲１００全体の任意の座標点と、タッチパッド８０の検出面８０Ａの全体又は一部の範囲内の座標点とが、Ｘ座標同士及びＹ座標同士で１対１の関係で対応付けられている。同図では、撮像範囲１００全体とタッチパッド８０の検出面８０Ａの全体とが対応付けられている場合を例示している。
【００４６】
ＣＰＵ６０は、タッチパッド８０の検出面８０Ａのいずれかの位置がタッチ（タップ操作）された場合に、そのタッチ位置を示す座標値（ｘ０，ｙ０）がコントローラ９０から与えられると、そのタッチ位置の座標値（ｘ０，ｙ０）に対応付けられた撮像範囲１００の座標値（ｘ０’，ｙ０’）がＡＦ枠１０２の中心位置となるようにＡＦ枠１０２の位置を設定する。
【００４７】
これによれば、操作者はタッチパッド８０の検出面８０Ａを撮像範囲１００を示すものと想定して検出面８０Ａをタッチすることによって、容易且つ迅速に撮像範囲１００の所望の位置にＡＦ枠１０２を設定することができる。
【００４８】
尚、このようにタッチパッド８０の検出面８０Ａのタッチ位置に対応する撮像範囲１００の位置にＡＦ枠１０２を設定する操作モードを絶対値モードとすると、この絶対値モードと相違する操作方法の相対値モードに所定のスイッチで切り替えられるようにしてもよい。相対値モードは、タッチパッド８０の検出面８０Ａに指をつけたまま指を上下左右にずらすドラッグ操作によってドラッグ操作の操作方向と操作量（距離）に対応してＡＦ枠を現在位置から変位させる操作モードである。この相対値モードではＣＰＵ６０は、タッチパッド８０の検出面８０Ａに最初にタッチされたタッチ位置の座標値（初期座標値）を、撮像範囲１００において現在設定されているＡＦ枠１０２の中心位置の座標値（初期座標値）とを対応させる。そして、その後、ドラッグ操作が行われて検出面８０Ａにおけるタッチ位置の座標値が連続的に変化した場合に、その座標値が初期座標値から変化した座標値分に対応する分だけＡＦ枠の中心位置の座標値を初期座標値から変位させる。これによれば、操作者は、ＡＦ枠１０２を現在位置から変化させたい操作方向と操作量分のドラッグ操作をタッチパッド８０の検出面８０Ａに行えばよい。
【００４９】
また、タッチパッド８０の検出面８０Ａの一部の領域を除いた領域、例えば右辺分と下辺部の帯状領域を除いた領域を絶対値モードの操作を行うための操作面とし、その操作面以外の領域、例えば、右辺分と下辺部の帯状領域を相対値モードの操作を行うための操作面とし、両方の操作方法を操作モードの切替操作なく使用できるようにしてもよい。
【００５０】
また、タッチパッド８０の操作によってＡＦ枠の位置のみを変更できるようにするのではなく、ＡＦ枠の大きさや形状をタッチパッド８０に対する所定の操作によって変更できるようにすることも可能である。この場合には大きさつまみ８２、８４を不要にすることができる．例えば、二本の指でタッチパッド８０の検出面８０Ａをドラッグ操作して二本の指の間隔を広げたり（ピンチアウト）、狭めたり（ピンチイン）する操作をＡＦ枠の大きさや形状の指定操作に適用することができる。即ち、ピントアウト操作又はピンチイン操作の操作方向と操作量に対応する分だけＡＦ枠の範囲（中心位置は固定）を拡大又は縮小すればよい。
【００５１】
また、タッチパッド８０の検出面８０Ａが任意の位置でダブルタップされた場合、ＡＦ枠自動追尾を開始するようにすることもできる。
【００５２】
以上のようなタッチパッド８０は、図４に示したようにフォーカスデマンド２６の本体部７０に、Ｘ方向（撮像範囲１００の横方向に相当）を横方向（水平方向）にして設置される。これによれば、操作者（カメラマン）は、一般的な撮影スタイルとしてフォーカスノブ３０を右手で把持した状態で撮影を行うが、フォーカスノブ３０を右手で把持した状態で例えば右手の親指を使用してタッチパッド８０の操作を行い、ＡＦ枠の位置を所望の位置に変更することができる。
【００５３】
また、フォーカスノブ３０を把持した状態、又は、フォーカスデマンド２６を触れた状態でタッチパッド８０を容易に操作できる位置であれば、タッチパッド８０は他の位置に設けてもよい。他の位置の例として、図４の破線に示すように本体部７０のフォーカスノブ３０が配置される面に設けてもよい。このとき、タッチパッド８０のＸ方向は横方向（水平方向）でも良いが、縦方向（鉛直方向）であっても違和感が生じない。
【００５４】
また、タッチパッド８０の検出面８０Ａの形状が、ビューファインダ３６の画面の形状と相似形とする。例えば、ビューファインダ３６の画面の縦横比とタッチパッド８０の検出面８０Ａの縦横比を、ともに横：縦＝１６：９または横：縦＝４：３とするなど、同じにしておくことが考えられる。
【００５５】
これにより、タッチパッド８０の検出面８０Ａにおける位置とビューファインダ３６の画面における位置の対応が分かりやすく、カメラマンはビューファインダ３６の画面を見ながら素早くＡＦ枠を所望の位置に置くことができる。
【００５６】
また、タッチパッド８０の検出面８０ａ内またはその周辺に突起物などの目印が設けられており、カメラマンがタッチパッド８０の検出面８０ａを見なくてもＡＦ枠の位置を予測できるようにしてもよい。例えば、図６（ａ）に示すように、タッチパッド８０の四隅の角に凸部８０ｂが設けられていることが考えられる。また、図６（ｂ）に示すように、タッチパッド８０のいずれか１つの辺８０ｃが他の辺に比べて凸状に突起させられていることも考えられる。
【００５７】
また、図６（ｃ）に示すように、タッチパッド８０の四隅から各々一定距離だけ離れた検出面８０ａ内の４箇所に凸部８０ｄが設けられていることも考えられる。図６（ｃ）では、検出面８０ａの四隅から各辺の１／４の距離にある検出面８０ａ内の４点に凸部８０ｄが設けられている例を示している。なお、検出面８０ａ内の４箇所に限らず、２箇所や３箇所、５箇所以上などの複数の箇所に凸部８０ｄが設けられていてもよい。
【００５８】
また、図６（ｄ）に示すように、タッチパッド８０の検出面８０ａ内の中央に凸部８０ｅが設けられていることも考えられる。
【００５９】
このように、タッチパッド８０の検出面８０ａ内またはその周辺に突起物などの目印が設けられていることにより、この突起物を目印にしてタッチパッド８０の検出面８０ａ内のタッチしている位置を認識できる。そのため、カメラマンがタッチパッド８０の検出面８０ａを見ずにビューファインダ３６の画面だけを見て操作していても、カメラマンが所望する位置にＡＦ枠を設定することができる。特に、ＡＦ枠を設定する操作モードを絶対値モードとする場合において、タッチパッド８０の検出面８０Ａにおける位置とビューファインダ３６の画面における位置の対応が分かりやすく、有効である。
【００６０】
また、ＡＦ枠制御装置が組み込まれたフォーカスデマンド２６の他の態様として、図７に示すような外観形状のＡＦ枠操作ユニット１５０を使用する場合がある。このＡＦ枠操作ユニット１５０は略直方体の本体部１５２に、ＡＦ枠の位置、大きさ、形状を操作するための操作部材やフォーカスをマニュアル操作するためのフォーカス用操作部材が設けられるが、そのフォーカス用操作部材の種類によってノブタイプとグリップタイプとがある。ノブタイプの場合は、同図のように本体部１５２の側面に上記フォーカスデマンド２６と同様のフォーカスノブ１５４が設けられ、グリップタイプの場合は、本体部１５２の正面に回動可能なグリップ１５６が設けられている。グリップタイプの場合、グリップ１５６を把持した手で回動させることによってフォーカス位置を変更することができるようになっている。尚、本体部１５２には、フォーカスノブ１５４とグリップ１５６のいずれかが設けられるが、同図では両方を併せて示している。
【００６１】
このようなＡＦ枠操作ユニット１５０において、上記のタッチパッド８０は、フォーカスノブ１５４又はグリップ１５６でフォーカス操作を行いながら操作できる位置に配置するのが望ましく、ノブタイプの場合、例えば、本体部１５２においてフォーカスノブ１５４が設けられる側面のフォーカスノブ１５４の上側の位置１５８（又は上側以外のフォーカスノブ１５４の周辺部）に設けると好適である。グリップタイプの場合には、例えば、本体部１５２においてグリップ１５６が設けられる位置と近い位置１８０（グリップ１５６が設けられる正面と上面とを連結する傾斜面）にタッチパッド８０を設けると好適である。
【００６２】
また、このようなＡＦ枠操作ユニット１５０においても、前記のようにタッチパッド８０の検出面８０Ａの形状が、ビューファインダ３６の画面の形状と相似形とする。また、前記の図６に示すように、タッチパッド８０の検出面８０ａ内またはその周辺に突起物などの目印が設けられていてもよい。
【００６３】
また、上記実施の形態では、フォーカスデマンド２６にＡＦ枠制御装置を組み込んだ場合について説明したが、ＡＦ枠制御装置の構成要素のうち少なくともタッチパッド８０は図１に示したズームデマンド２８に設けることも可能であり、同図の破線で示すようにズームデマンド２８の本体部の上面等、グリップを把持した左手の親指等で操作できる位置にタッチパッド８０を設けるようにしてもよいし、左手の人差し指で操作できる位置にタッチパッド８０を設けるようにしてもよい。
【００６４】
特に、ズームデマンド２８にＡＦ枠操作装置が組み込まれた場合、図８に示すようにズームデマンド２８の本体部２００の上面の位置２０２にＡＦ枠の位置を操作するためのトラックボール等のＡＦ枠位置操作部材が設けられるため、このような場合には、タッチパッド８０を本体部２００の左側の側面の位置２０４に設け、左手の親指でサムリング３４を操作しながら人差し指でタッチパッド８０を操作できるようにすると好適である。但し、図１と異なり、ズームデマンド２８が右手で操作する位置に設置され、右手の親指でサムリング３４を操作するような場合には、右手の人差し指でタッチパッド８０を操作できるように本体部２００の右側の側面に設けると好適である。また、トラックボールなどのＡＦ枠位置操作部材が設けられる上面の位置２０２に、同図のトラックボール等のＡＦ枠位置操作部材の代わりにタッチパッド８０を設けるようにしてもよい。
【００６５】
即ち、タッチパッド８０は、レンズ装置１２のフォーカスやズームをカメラマンがマニュアル操作するための操作装置（レンズコントローラ）において、フォーカス又はズームをマニュアル操作をしながら操作している手の所定の指で操作できる位置、又は、フォーカスやズームのマニュアル操作から瞬時に切り替えて操作できる位置に設けるようにすると好適である。
【００６６】
また、このようにタッチパッド８０をズームデマンド２８に設ける場合においても、前記のようにタッチパッド８０の検出面８０Ａの形状が、ビューファインダ３６の画面の形状と相似形とする。また、前記の図６に示すように、タッチパッド８０の検出面８０ａ内またはその周辺に突起物などの目印が設けられていてもよい。
【００６７】
また、図１のようにフォーカスデマンド２６（ＡＦ枠操作ユニット１５０）やズームデマンド２８のような操作装置を使用するテレビカメラシステムではなく、図９のように取材等に携帯して肩担ぎ等によって撮影を行うためのテレビカメラシステム（ＥＮＧカメラ）では、光学系を備え、カメラ本体２５２に装着されるレンズ装置２５０の鏡胴側部にドライブユニット２５４が設置され、そのドライブユニット２５４の操作部材を操作するとフォーカス、ズーム等が電動で駆動され、又は、鏡胴に設けられた操作リングを手動で回動操作するとフォーカス、ズーム等がその手動力によって駆動されるようになっている。このようなテレビカメラシステムでは、通常、右肩でカメラ本体２５２を担ぎ、右手でドライブユニット２５４を把持して右手の各指でドライブユニット２５４の操作が行われるため、上記のタッチパッド８０を設ける場合、使用されることが比較的少ない左手で操作できる位置にタッチパッド８０を設けると好適である。例えば、同図に示すようにカメラ本体２５２を右肩に担いだカメラマンから見てレンズ装置２５０を構成する構成要素（鏡
胴や付属装置等）の左側の位置２６０にタッチパッド８０を設けると好適である。また、カメラ本体２５２の左側の側面に設けても良い。
【００６８】
また、このようにタッチパッド８０をＥＮＧカメラに設ける場合においても、前記のようにタッチパッド８０の検出面８０Ａの形状が、ビューファインダ３６の画面の形状と相似形とする。また、前記の図６に示すように、タッチパッド８０の検出面８０ａ内またはその周辺に突起物などの目印が設けられていてもよい。
【符号の説明】
【００６９】
１０…テレビカメラ、１２…レンズ装置、１４…カメラ本体、２６…フォーカスデマンド、２８…ズームデマンド、５０…レンズＣＰＵ、５２…ＡＦ処理部、５４…ＡＦ用撮像回路、６０…ＣＰＵ、６２…画像処理部、６４…画像入力部、８０…タッチパッド、８２…大きさつまみ、８４…形状つまみ、１００…撮像範囲、１０２…ＡＦ枠
【図１】
2010266835.tif 000003
【図２】
2010266835.tif 000004
【図３】
2010266835.tif 000005
【図４】
2010266835.tif 000006
【図５】
2010266835.tif 000007
【図６】
2010266835.tif 000008
【図７】
2010266835.tif 000009
【図８】
2010266835.tif 000010
【図９】
2010266835.tif 000011